(57)【要約】【課題】空および太陽が窓を通して部屋を照明するときに自然界で起こる状況を人工的に再現できる照明装置を提供すること。【解決手段】照明装置は、太陽光を表現する可視光を照射する光源と、光源が照射した可視光を反射する第一可動反射部と、第一可動反射部が可視光を反射する第一角度を変更する第一駆動部と、第一可動反射部が反射した可視光を散乱させる散乱部材と、第一駆動部に第一角度を変更させる制御部とを備える。【選択図】図１
2019075330.tif 000002
【特許請求の範囲】
【請求項１】
太陽光を表現する可視光を照射する光源と、
前記光源が照射した前記可視光を反射する第一可動反射部と、
前記第一可動反射部が前記可視光を反射する第一角度を変更する第一駆動部と、
前記第一可動反射部が反射した前記可視光を散乱させる散乱部材と、
前記第一駆動部に前記第一角度を変更させる制御部とを備える、
照明装置。
【請求項２】
前記散乱部材は、１ｐｐｍから３０００ｐｐｍの無機酸化物を含む、請求項１に記載の照明装置。
【請求項３】
前記光源は、２０００Ｋ−２５０００Ｋの色温度を有する光を照射する、請求項１又は請求項２に記載の照明装置。
【請求項４】
前記光源が照射した前記可視光を反射する第一反射部と、
前記第一反射部が反射した前記可視光を反射する第二可動反射部と
前記第二可動反射部が前記可視光を反射する第二角度を変更する第二駆動部とを更に備え、
前記第一可動反射部は、前記第二可動反射部が反射した前記可視光を反射し、
前記制御部は、前記第一駆動部に前記第二角度を変更させる、請求項１から請求項３のいずれか一項に記載の照明装置。
【請求項５】
前記制御部は、前記第一可動反射部の前記第一角度及び前記第二可動反射部の前記第二角度を変更することで、太陽が動いている状況を再現する、請求項４に記載の照明装置。
【請求項６】
ユーザの操作に応じて、前記照明装置に、朝の太陽の状況を再現する命令、昼の太陽の状況を再現する命令、夕方の太陽の状況を再現する命令、および月明かりが見られる状況のいずれかを含む制御信号を送信するリモートコントローラと、
前記リモートコントローラが送信した前記制御信号を受信する受信部と
を更に備え、
前記制御部は、前記受信部が受信した前記制御信号に含まれる命令に基づいて、前記第一可動反射部の角度を変更する、請求項１から請求項３のいずれか一項に記載の照明装置。
【発明の詳細な説明】
【技術分野】
【０００１】
本発明の実施形態は、照明装置に関する。
【背景技術】
【０００２】
太陽光などの自然光を再現した照明システムが知られている。この照明システムは、単色の白色発光ダイオード(light emitting diode: LED)を昼間の太陽と同じ波長に調整することで、昼間の太陽光のような光を作り出している。照明システムを、閉じた環境の中で使用することによって、視覚的な快適さを与えることができる。
【０００３】
自然光を再現した照明システムに関して、可視光のビームを放出する第１の光源と、光ビームを受け取る内面および外面によって境界画定された拡散光発生器であり、光ビームに対して少なくとも部分的に透明な拡散光発生器とを含む照明システムが知られている（例えば、特許文献１参照）。
【先行技術文献】
【特許文献】
【０００４】
【特許文献１】特表２０１６−５１４３４０号公報
【発明の概要】
【発明が解決しようとする課題】
【０００５】
前述した照明システムは、空および太陽が窓を通して部屋を照明するときと同様の状況を、ユーザに知覚させる。しかし、空および太陽が窓を通して部屋を照明するときと同様の状況には、太陽が移動する状況が含まれる。
【０００６】
本発明は、上記問題を解決すべくなされたもので、空および太陽が窓を通して部屋を照明するときに、朝から昼間を経て夕暮れの自然界で起こる状況を人工的に再現できる照明装置を提供することを目的とする。また、満月での月明かりも人工的に再現することを目的とする。
【課題を解決するための手段】
【０００７】
上記問題を解決する本発明の一態様は、太陽光を表現する可視光を照射する光源と、前記光源が照射した前記可視光を反射する第一可動反射部と、前記第一可動反射部が前記可視光を反射する第一角度を変更する第一駆動部と、前記第一可動反射部が反射した前記可視光を散乱させる散乱部材と、前記第一駆動部に前記第一角度を変更させる制御部とを備える、照明装置である。
【発明の効果】
【０００８】
本発明の実施形態によれば、空および太陽が窓を通して部屋を照明するときに自然界で起こる状況を人工的に再現できる照明装置を提供することができる。また、満月での月明かりも人工的に再現できる。
【図面の簡単な説明】
【０００９】
【図１】第１の実施形態の照明装置の一例を示す概略図である。
【図２】第１の実施形態の照明装置のリモートコントローラの一例を示す機能ブロック図である。
【図３】第１の実施形態の照明装置のリモートコントローラの操作部の一例を示す模式図である。
【図４】第１の実施形態の照明装置の動作の一例を示すシーケンスチャートである。
【図５】第２の実施形態の照明装置の一例を示す概略図である。
【図６】第３の実施形態の照明装置の一例を示す概略図である。
【発明を実施するための形態】
【００１０】
次に、実施形態に係る照明装置を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
【００１１】
（第１の実施形態）
（照明装置）
図１は、第１の実施形態の照明装置の一例を示す概略図である。第１の実施形態の照明装置１００は、リモートコントローラ２００が送信する制御信号にしたがって、その照明装置１００が設置された部屋３０などの空間に、空に太陽が見られる状況を人工的に再現する。図１に示される例では、照明装置１００は、部屋３０の天井に設置され、該天井から、室内を照明する。
【００１２】
照明装置１００は、光源１１０と、第一ミラー１２０と、駆動部１４１と、散乱部材１４５と、受信部１５０と、制御部１６０と、レンズ１６５と、筐体１７０とを備える。光源１１０と制御部１６０との間は、制御線１１４によって接続される。駆動部１４１と制御部１６０との間は、制御線１４４によって接続される。光源１１０と、制御線１１４と、第一ミラー１２０と、駆動部１４１と、制御線１４４と、散乱部材１４５と、受信部１５０と、制御部１６０と、レンズ１６５とは、筐体１７０の内部に実装される。
【００１３】
筐体１７０の一例は、直方体であり、その直方体を構成する六面のうちの一面に開口部１７１が形成されている。開口部１７１の形状は、矩形であってもよいし、円形であってもよい。照明装置１００は、散乱部材１４５を通じて、開口部１７１から照射される可視光によって、空に太陽が見られる状況を人工的に再現する。
【００１４】
筐体１７０は、その筐体１７０の内側が、入射した光を吸収することができる材料でコーティングされる。具体的には、筐体１７０の内側は、黒色で、可視範囲における吸収係数が７０％よりも高く、好ましくは９０％よりも高く、より好ましくは９５％よりも高く、最も好ましくは９７％よりも高い材料で、コーティングされる。筐体１７０の内側のコーティングは、太陽光や満月としての光源１１０が照射した光のうち直接に到来した光、光源１１０が照射した光のうち散乱部材１４５で反射した光、光源１１０が照射した光のうち散乱部材１４５で散乱した光などを吸収することを目的とする。また、筐体１７０の内側のコーティングは、筐体１７０の外部から到来した光のうち散乱部材１４５を透過した光などを吸収することを目的とする。
【００１５】
太陽光や満月としての光源１１０は、発光面を向けている方向１１２に、可視光を照射する。発光面を向けている方向１１２は、光源１１０の照射する可視光の中心軸を表わしている。光源１１０は、例えば２０００Ｋ−２５０００Ｋの色温度を有する可視光を照射する。
【００１６】
以下、地表面に平行で、且つ互いに直交する二つの方向をＸ軸とＹ軸とする。また、Ｘ軸とＹ軸とに垂直な鉛直方向をＺ軸とする。光源１１０の発光面を向けている方向１１２は、Ｘ軸方向とする。
【００１７】
光源１１０が照射した光は、レンズ１６５を経て集光され、第一ミラー１２０で反射され、散乱部材１４５を照射する。レンズ１６５に入射した可視光は、第一ミラー１２０に到達する。第一ミラー１２０は、駆動部１４１によってＹ方向を中心軸とする軸周りに回動し、散乱部材１４５を照射する反射光の角度を変えることができる。第一ミラー１２０が反射した可視光は、散乱部材１４５へ到達する。
【００１８】
散乱部材１４５は、平板の形状を有し、筐体１７０の開口部１７１から、平板の一面が見えるように配置される。散乱部材１４５は、基材の主な材料である第一材料と、その基材に添加される第二材料とを含む。
【００１９】
第一材料は、光学的透過性を有する樹脂によって構成される。第一材料は、熱可塑性樹脂、熱硬化性樹脂、光硬化性樹脂、アクリル樹脂、エポキシ樹脂、ポリエステル樹脂、ポリスチレン樹脂、ポリオレフィン樹脂、ポリアミド樹脂、ポリイミド樹脂、ポリビニル樹脂、ブチラール樹脂、フッ素系樹脂、酢酸ビニル樹脂、シリコーン樹脂、アクリルスチレン樹脂、又は、ポリカーボネート、液晶ポリマー、ポリフェニレンエーテル、ポリスルホン、ポリエーテルスルホン、ポリアリーレート、非晶性ポリオレフィンなどのプラスチック類、又は、それらの混合物又はコポリマのいずれかを含む。
【００２０】
第二材料は、例えば、ＺｎＯ、ＴiＯ２、ＺｒＯ２、ＳｉＯ２、Ａｌ２Ｏ３などの無機酸化物である。第二材料は、第一材料とは異なる屈折率を有している。第一材料に対する第二材料の割合は、第二材料の粒径や第一材料の板のサイズにもよるが１ｐｐｍから３０００ｐｐｍであり、５０ｐｐｍから１５０ｐｐｍと、１０００ｐｐｍから３０００ｐｐｍとがより好ましい。さらに、ある条件では第一材料に対する第二材料の割合は、６０ｐｐｍから１２０ｐｐｍが最も好ましい結果が得られた。また、ある条件では第二材料の結晶子径は１５ｎｍから２５０ｎｍが最も好ましい結果が得られた。
【００２１】
受信部１５０は、後述するリモートコントローラ２００が送信した制御信号を受信し、受信した制御信号を制御部１６０へ出力する。
【００２２】
制御部１６０は、受信部１５０が出力した制御信号を取得し、該制御信号に基づいて、光源１１０を点灯又は消灯させる。制御部１６０は、該制御信号に基づいて、光源１１０の光量を制御する。また、制御部１６０は、該制御信号に基づいて、第一ミラー１２０の角度を変更させるための制御信号を、駆動部１４１へ出力する。
駆動部１４１は、制御部１６０が出力した制御信号を取得し、該制御信号にしたがって、第一ミラー１２０の角度を変更する。第一ミラー１２０の角度を変更することによって、第一ミラー１２０に到達する可視光の入射角θは、９０度から零度の間で変更される。入射角θを変更することによって、第一ミラー１２０が反射した可視光の反射方向１２２を制御できる。図１に示される例では、Ｙ軸回りの角度が変更される。
【００２３】
（照明装置の照明例）
制御部１６０は、光源１１０を点灯又は消灯させ、光量を調整する。また、制御部１６０は、第一ミラー１２０の角度を調整する。具体的には、制御部１６０は、光源１１０を点灯することで空に太陽が見られる状況を再現し、第一ミラー１２０の角度を調整することによって、太陽や月が移動する状況を再現する。
【００２４】
制御部１６０は、受信部１５０が出力する制御信号に含まれる命令などの制御情報を判定する。制御部１６０は、制御信号に、朝の空に太陽が見られる状況を再現する命令が含まれる場合に、制御線１１４に電源を供給することによって光源１１０に可視光を照射させるとともに、光量を調整する。光量は、朝の状況に応じた値に調整される。さらに、制御部１６０は、制御線１４４に第一ミラー１２０の角度を調整する制御信号を駆動部１４１に出力し、駆動部１４１は、第一ミラー１２０のＹ方向の中心軸周りの角度を制御し、朝の日射し方向になるようにする。
【００２５】
第一ミラー１２０が反射した可視光のうち、散乱部材１４５へ到達した可視光は、散乱部材１４５によって、レイリー散乱される。散乱部材１４５によって、波長の短い青色の光が特に強く散乱されるため、散乱部材１４５がレイリー散乱した光は、青く見える。このため、照明装置１００の散乱部材１４５を通じて開口部１７１から照射される光は、青空を再現することができる。さらに、第一ミラー１２０が反射した可視光は、散乱部材１４５を通じて、太陽のように見える。このため、照明装置１００の散乱部材１４５を通じて開口部１７１から照射される光は、青空に浮かぶ太陽を再現することができる。ここで、散乱部材１４５を通じて、開口部１７１から照射される光の照度は、１０ｌｘ−１０００ｌｘであり、より好ましくは、２５ｌｘ−１００ｌｘである。
【００２６】
制御部１６０は、受信部１５０が出力する制御信号に、昼の空に太陽が見られる状況を再現する命令が含まれる場合に、以下の処理を行う。制御部１６０は、光量を、朝の状況に応じた値よりも高い値に調整する。駆動部１４１は、第一ミラー１２０のＹ方向の中心軸周りの角度を制御し、昼の日射し方向になるようにする。
【００２７】
光量が朝の状況に応じた値よりも高い値に制御されるため、照明装置１００の開口部１７１から、朝の状況よりも強い光が照射され、その強い光によって、青空に太陽が見られる状況を再現することができる。ここで、散乱部材１４５を通じて、開口部１７１から照射される光の照度は、２０００ｌｘ−２００００ｌｘであり、より好ましくは、５０００ｌｘ−１５０００ｌｘである。
【００２８】
制御部１６０は、制御信号に、夕方の空に太陽が見られる状況を再現する命令が含まれる場合に、以下の処理を行う。制御部１６０は、光量を、朝の状況に応じた値と同等もしくは高い値や低い値に調整し、昼の状況に応じた値よりも低い値に調整する。
駆動部１４１は、第一ミラー１２０のＹ方向の中心軸周りの角度を制御し、夕日の日射し方向になるようにする。
光量は、朝の状況に応じた値と同等もしくは高い値や低い値に調整し、昼の状況に応じた値よりも低い値に制御される。このため、照明装置１００の開口部１７１から照射される朝よりも強く、昼よりも弱い光によって、夕方の空に太陽が見られる状況を再現することができる。
【００２９】
制御部１６０は、制御信号に、月明かりが見られる状況を再現する命令が含まれる場合に、以下の処理を行う。制御部１６０は、光量を、夕方の状況に応じた値より低い値に調整する。このため、照明装置１００の開口部１７１から照射される夕方よりも弱い光によって、レイリー散乱光が微弱になり青色が見えなくなるので、バックの黒い背景の中に月明かりが浮かぶ（真っ暗の中に、ほのかに光る満月が見られる）状況を人工的に再現することができる。
【００３０】
制御部１６０は、制御信号に、自動的に状況を再現する命令が含まれる場合に、現在の時刻情報を取得し、該現在の時刻情報に応じて、光源１１０の光量と、第一ミラー１２０の角度とを調整する制御信号を、制御線１１４と、制御線１４４のそれぞれに出力することによって、太陽を移動させ、朝から夕方の状況を人工的に再現する。
【００３１】
（リモートコントローラ）
リモートコントローラ２００は、ユーザの操作に応じて、照明装置１００を制御する命令である制御情報を含む制御信号を生成し、生成した制御信号を、照明装置１００へ送信する。
【００３２】
図２は、第１の実施形態の照明装置のリモートコントローラの一例を示す機能ブロック図である。リモートコントローラ２００は、操作部２１０と、制御部２４０と、送信部２５０と、上記各構成要素を図２に示されているように電気的に接続するためのアドレスバスやデータバスなどのバスライン２７０とを備える。
【００３３】
操作部２１０は、ユーザの操作を受け付ける入力デバイスである。操作部２１０は、ユーザの操作を受け付け、受け付けたユーザの操作を示す情報を、制御部２４０に出力する。
【００３４】
図３は、第１の実施形態の照明装置のリモートコントローラの操作部の一例を示す模式図である。図３に示される例では、リモートコントローラ２００は、ＯＮボタン２６０と、ＯＦＦボタン２６２と、朝ボタン２６４と、昼ボタン２６６と、夕方ボタン２６８と、月明かりボタン２７１と、自動ボタン２７２と、太陽調節バー２７４と、時刻調節バー２７６とを有する。
【００３５】
ユーザが、朝ボタン２６４、昼ボタン２６６、夕方ボタン２６８、月明かりボタン２７１のいずれかを押した場合、太陽調節バー２７４と、時刻調節バー２７６との操作が可能にされる。ユーザが、太陽調節バー２７４を操作することによって、操作部２１０は、光源１１０の光量を示す情報を作成する。また、ユーザが、時刻調節バー２７６を操作することによって、操作部２１０は、時刻を示す情報を作成する。時刻調節バー２７６は、０時から２４時との間で、時刻を調節ができる。操作部２１０は、作成した情報を、制御部２４０へ出力する。
【００３６】
ユーザが、自動ボタン２７２を押した場合、太陽調節バー２７４と、時刻調節バー２７６との操作はできないようにされる。これは、自動ボタン２７２が押された場合には、時刻情報に基づいて、光源１１０の光量の調整と、太陽の位置の調整が自動的に行われるため、太陽の光量や、時刻が変更されるのは好ましくないためである。
【００３７】
図２に戻り、説明を続ける。制御部２４０は、操作部２１０が出力した情報を取得し、該情報に基づいて、制御信号を作成する。
【００３８】
制御部２４０は、朝ボタン２６４が押されたことを示す情報を取得した場合には、朝の空に太陽が見られる状況を再現する命令を含む制御信号を作成する。制御部２４０は、昼ボタン２６６が押されたことを示す情報を取得した場合には、昼の空に太陽が見られる状況を再現する命令を含む制御信号を作成する。制御部２４０は、夕方ボタン２６８が押されたことを示す情報を取得した場合には、夕方の空に太陽が見られる状況を再現する命令を含む制御信号を作成する。制御部２４０は、月明かりボタン２７１がおされたことを示す情報を取得した場合には、月明かりが見られる状況を再現する命令を含む制御信号を作成する。制御部２４０は、自動ボタン２７２が押されたことを示す情報を取得した場合には、自動的に空に太陽が見られる状況や、真っ暗の中に、ほのかに光る満月が見られる状況を再現する命令を含む制御信号を作成する。
【００３９】
また、制御部２４０は、時刻情報を取得した場合には、該時刻情報を含む制御信号を作成する。制御部２４０は、作成した制御信号を、送信部２５０へ出力する。送信部２５０は、制御部２４０が出力した制御信号を取得し、該信号を、照明装置１００へ送信する。
【００４０】
（照明装置の動作）
図４は、第１の実施形態の照明装置の動作の一例（その１）を示すシーケンスチャートである。図４に示される例では、ユーザが、リモートコントローラ２００を操作することによって、ＯＮボタン２６０、ボタン、ＯＦＦボタン２６２の順に押した場合の動作を示す。ここで、ボタンは、朝ボタン２６４、昼ボタン２６６、夕方ボタン２６８、および月明かりボタン２７１のいずれかである。
【００４１】
（ステップＳ１０１）  ユーザが、ＯＮボタン２６０を押すと操作部２１０は、ＯＮボタン２６０が押されたことを示す情報を、制御部２４０へ出力する。
【００４２】
（ステップＳ１０２）  制御部２４０は、操作部２１０が出力したＯＮボタンが押されたことを示す情報を取得し、該情報に基づいて、ＯＮ命令を含む制御信号を作成し、該信号を、送信部２５０へ出力する。
【００４３】
（ステップＳ１０３）  送信部２５０は、制御部２４０が出力した制御信号を取得し、該信号を、照明装置１００へ送信する。
【００４４】
（ステップＳ１０４）  受信部１５０は、リモートコントローラ２００が送信した制御信号を受信し、該信号を、制御部１６０へ出力する。
【００４５】
（ステップＳ１０５）  制御部１６０は、制御信号に含まれるＯＮ命令を取得し、該命令にしたがって、照明装置１００の電源をＯＮにする。
【００４６】
（ステップＳ１０６）  ユーザが、ボタンを押すと、操作部２１０は、ボタンが押されたことを示す情報を、制御部２４０へ出力する。
【００４７】
（ステップＳ１０７）  制御部２４０は、操作部２１０が出力したボタンが押されたことを示す情報を取得し、該情報に基づいて、朝、昼、および夕方のうちのいずれかの空に太陽が見られる状況、又は月明かりが見られる状況を再現する命令を含む制御信号を作成し、該信号を、送信部２５０へ出力する。
【００４８】
（ステップＳ１０８）  送信部２５０は、制御部２４０が出力した制御信号を取得し、該信号を、照明装置１００へ送信する。
【００４９】
（ステップＳ１０９）  受信部１５０は、リモートコントローラ２００が送信した制御信号を受信し、該信号を、制御部１６０へ出力する。
【００５０】
（ステップＳ１１０）  制御部１６０は、制御信号に含まれる朝、昼、および夕方のうちのいずれかの空に太陽が見られる状況、又は月明かりが見られる状況を再現する命令を取得し、該命令にしたがって、光源１１０を点灯させる。
【００５１】
（ステップＳ１１１）  制御部１６０は、該命令にしたがって、第一ミラー１２０の角度を調整する。
【００５２】
（ステップＳ１１２）  制御部１６０は、該命令にしたがって、光源１１０の光量を、朝、昼、および夕方のうちのいずれかの空の状況又は月明かりに応じた値に調整する。
【００５３】
（ステップＳ１１３）  操作部２１０は、ＯＦＦボタン２６２が押されたことを検出し、該情報を、制御部２４０へ出力する。
【００５４】
（ステップＳ１１４）  制御部２４０は、操作部２１０が出力したＯＦＦボタン２６２が押されたことを示す情報を取得し、該情報に基づいて、ＯＦＦ命令を含む制御信号を作成する。制御部２４０は、該信号を、送信部２５０へ出力する。
【００５５】
（ステップＳ１１５）  送信部２５０は、制御部２４０が出力した制御信号を取得し、該信号を、照明装置１００へ送信する。
【００５６】
（ステップＳ１１６）  受信部１５０は、リモートコントローラ２００が送信した制御信号を受信し、該信号を、制御部１６０へ出力する。
【００５７】
（ステップＳ１１７）  制御部１６０は、制御信号に含まれるＯＦＦ命令を取得し、該命令にしたがって、照明装置１００の電源をＯＦＦにする。
【００５８】
図４に示すフローチャートにおいて、ステップＳ１１１の処理と、ステップＳ１１２の処理との順序を逆にしてもよい。図４に示されるシーケンスチャートによれば、照明装置１００は、部屋３０に、朝、昼、および夕方うちのいずれかの空に太陽が見られる状況又は月明かりを人工的に再現できる。
ユーザが、リモートコントローラ２００を操作することによって、ＯＮボタン２６０、自動ボタン２７２、ＯＦＦボタン２６２の順に押した場合の動作については、制御部１６０は、現在の時刻情報を取得し、該現在の時刻情報に基づいて、図４に示される処理を行うことによって、朝から夕方までの空に太陽が見られる状況、および月明かりが見られる状況を人工的に再現できる。
【００５９】
前述した第１の実施形態では、光源１１０が複数の発光素子によって実現されてもよい。前述した第１の実施形態では、ユーザが、リモートコントローラ２００の自動ボタン２７２を押した場合には、太陽調節バー２７４と、時刻調節バー２７６との操作ができない場合について説明したが、この例に限られない。例えば、ユーザが、自動ボタン２７２を押した場合でも、太陽調節バー２７４と、時刻調節バー２７６との操作ができるようにしてもよい。前述した第１の実施形態において、リモートコントローラ２００は、照明装置１００専用のものに限らず、パーソナルコンピュータ、携帯電話、タブレット、スマートフォン、ＰＨＳ（Personal Handy-phone System）、ＰＤＡ（Personal Digital Assistant）などの携帯機器によって実現されてもよい。前述した第１の実施形態においては、照明装置１００が、天井に設置される場合について説明したが、この例に限られない。例えば、照明装置１００が、壁や、床などに設置されてもよい。
【００６０】
（第２の実施形態）
（照明装置）
図５は、第２の実施形態の照明装置の一例を示す概略図である。第２の実施形態の照明装置１００ａは、リモートコントローラ２００が送信する制御信号にしたがって、その照明装置１００が設置された部屋３０などの空間に、空に太陽が見られる状況を人工的に再現する。図５に示される例では、照明装置１００ａは、部屋３０の天井に設置され、該天井から、室内を照明する。
【００６１】
照明装置１００ａは、光源１１０と、第一ミラー１２０と、第二ミラー１３０と、駆動部１４１と、散乱部材１４５と、受信部１５０と、制御部１６０と、レンズ１６５と、筐体１７０とを備える。光源１１０と制御部１６０との間は、制御線１１４によって接続される。駆動部１４１と制御部１６０との間は、制御線１４４によって接続される。光源１１０と、制御線１１４と、第一ミラー１２０と、第二ミラー１３０と、駆動部１４１と、制御線１４４と、散乱部材１４５と、受信部１５０と、制御部１６０と、レンズ１６５とは、筐体１７０の内部に実装される。
【００６２】
光源１１０が照射した光は、レンズ１６５を経て集光され、第二ミラー１３０で反射された後に、第一ミラー１２０で反射され、散乱部材１４５を照射する。レンズ１６５に入射した可視光は、第二ミラー１３０に到達する。第二ミラー１３０は、その可視光を、反射方向１３２に反射する。第二ミラー１３０は、所定の角度で固定されている。第二ミラー１３０が反射した可視光は、第一ミラー１２０に到達する。第一ミラー１２０は、駆動部１４１によってＹ方向を中心軸とする軸周りに回動し、散乱部材１４５を照射する反射光の角度を変えることができる。第一ミラー１２０が反射した可視光は、散乱部材１４５へ到達する。
第２の実施形態の照明装置１００ａによれば、第１実施形態の照明装置１００よりも、光路長（光源１１０と散乱部材１４５との間の距離）を長くできるため、奥行き感が得られる。
【００６３】
（第３の実施形態）
（照明装置）
図６は、第３の実施形態の照明装置の一例を示す概略図である。第３の実施形態の照明装置１００ｂは、リモートコントローラ２００が送信する制御信号にしたがって、その照明装置１００ｂが設置された部屋３０などの空間に、空に太陽が見られる状況を人工的に再現する。図３に示される例では、照明装置１００ｂは、部屋３０の天井に設置され、該天井から、室内を照明する。
【００６４】
照明装置１００ｂは、光源１１０と、第一ミラー１２０と、第二ミラー１３０と、第三ミラー１４０と、駆動部１４１ａと、駆動部１４１ｂと、散乱部材１４５と、受信部１５０と、制御部１６０と、レンズ１６５と、筐体１７０とを備える。光源１１０と制御部１６０との間は、制御線１１４によって接続される。駆動部１４１ａと制御部１６０との間は、制御線１４４ａによって接続される。駆動部１４１ｂと制御部１６０との間は、制御線１４４ｂによって接続される。光源１１０と、制御線１１４と、第一ミラー１２０と、第二ミラー１３０と、第三ミラー１４０と、駆動部１４１ａと、駆動部１４１ｂと、制御線１４４ａと、制御線１４４ｂと、散乱部材１４５と、受信部１５０と、制御部１６０と、レンズ１６５とは、筐体１７０の内部に実装される。
【００６５】
光源１１０が照射した光は、レンズ１６５を経て集光され、第三ミラー１４０と第二ミラー１３０で反射された後に、第一ミラー１２０で反射され、散乱部材１４５を照射する。レンズ１６５に入射した可視光は、第三ミラー１４０に到達する。第三ミラー１４０は、その可視光を、反射方向１４２に反射する。第三ミラー１４０は、所定の角度で固定されている。第三ミラー１４０が反射した可視光は、第二ミラー１３０に到達する。第二ミラー１３０は、駆動部１４１ｂによってＺ方向を中心軸とする軸周りに回動し、第一ミラー１２０を照射する反射光の角度を変えることができる。第二ミラー１３０が反射した可視光は、第一ミラー１２０へ到着する。第一ミラー１２０は、その可視光を、反射方向１２２に反射する。第一ミラー１２０は、駆動部１４１ａによってＹ方向を中心軸とする軸周りに回動し、散乱部材１４５を照射する反射光の角度を変えることができる。第一ミラー１２０が反射した可視光は、散乱部材１４５へ到達する。
【００６６】
第３の実施形態の照明装置１００ｂによれば、第１実施形態の照明装置１００よりも、光路長（光源１１０と散乱部材１４５との間の距離）を長くできるため、奥行き感が得られる。第３の実施形態の照明装置１００ｂによれば、第２の実施形態の照明装置１００ｂの特徴、具体的には、光路長が長くなることで奥行き感が得られることに加え、光源がＸ軸方向と、Ｙ軸方向に動いて見えるので、よりリアルに太陽の動きを表現できる。また、照明装置１００ｂは、第一ミラー１２０と、第二ミラー１３０と、第三ミラー１４０の三枚のミラーを備えることによって、遠近感や太陽の動きのバリエーションを増加させることができる。
【００６７】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態及びその変形例は、発明の範囲や要旨に含まれると同時に、特許請求の範囲に記載された発明とその均等の範囲に含まれるものである。
【符号の説明】
【００６８】
３０…部屋、１００、１００ａ、１００ｂ…照明装置、１１０…光源、１１２…発光面を向けている方向、１１４、１４４、１４４ａ、１４４ｂ…制御線、１２０…第一ミラー、１２２、１３２、１４２…反射方向、１３０…第二ミラー、１４０…第三ミラー、１４１、１４１ａ、１４１ｂ…駆動部、１４５…散乱部材、１５０…受信部、１６０…制御部、１６５…レンズ、１７０…筐体、１７１…開口部、２００…リモートコントローラ、２１０…操作部、２４０…制御部、２５０…送信部、２６０…ＯＮボタン、２６２…ＯＦＦボタン、２６４…朝ボタン、２６６…昼ボタン、２６８…夕方ボタン、２７０…バスライン、２７１…月明かりボタン、２７２…自動ボタン、２７４…太陽調節バー、２７６…時刻調節バー
【図１】
2019075330.tif 000003
【図２】
2019075330.tif 000004
【図３】
2019075330.tif 000005
【図４】
2019075330.tif 000006
【図５】
2019075330.tif 000007
【図６】
2019075330.tif 000008